【手続補正書】
【提出日】平成18年8月2日(2006.8.2)
【手続補正１】
【補正対象書類名】特許請求の範囲
【補正対象項目名】全文
【補正方法】変更
【補正の内容】
【特許請求の範囲】
【請求項１】
高分子電解質膜と、
前記高分子電解質膜の両側のそれぞれに配置された２つの電極とを備え、
前記２つの電極の少なくとも一方の電極は、前記高分子電解質膜側から順に配置された、触媒層と、所定の撥水性と所定の接着性を有する樹脂を樹脂主成分とする第二の撥水性導電層と、前記所定の撥水性よりも強い撥水性と前記所定の接着性よりも弱い接着性を有する樹脂を樹脂主成分とする第一の撥水性導電層と、ガス拡散層で構成されており、
前記第一の撥水性導電層の樹脂主成分は、テトラフルオロエチレン成分またはテトラフルオロエチレンの同族体の共重合体成分であり、
前記第二の撥水性導電層の樹脂主成分は、ポリフッ化ビニリデン成分である、燃料電池用膜電極接合体。
【請求項２】
前記それぞれの電極のうちのカソード側の電極は、
前記高分子電解質膜側から順に配置された、前記触媒層と、前記第二の撥水性導電層と、前記第一の撥水性導電層と、前記ガス拡散層で構成されている、請求項１記載の燃料電池用膜電極接合体。
【請求項３】
高分子電解質膜と、
前記高分子電解質膜の両側のそれぞれに配置された２つの電極とを備え、
前記２つの電極の少なくとも一方の電極は、前記高分子電解質膜側から順に配置された、触媒層と、ポリフッ化ビニリデン成分とポリテトラフルオロエチレン成分を樹脂主成分とする撥水性導電層と、ガス拡散層で構成されている、燃料電池用膜電極接合体。
【請求項４】
前記２つの電極のうちのカソード側の電極は、
前記高分子電解質膜側から順に配置された、前記触媒層と、前記撥水性導電層と、前記ガス拡散層で構成されている、請求項３に記載の燃料電池用膜電極接合体。
【請求項５】
両面に触媒層を形成させた高分子電解質膜の両側から、撥水性導電層を表面に形成させた２つのガス拡散層を、それぞれ、前記触媒層と前記撥水性導電層が向き合うように熱圧着法により接合する、燃料電池用膜電極接合体の製造方法において、
前記撥水性導電層を表面に形成させた２つの前記ガス拡散層の少なくとも一方の前記撥水性導電層は、前記ガス拡散層側から順に、所定の撥水性と所定の接着性を有する樹脂を樹脂主成分とする第一の撥水性導電層と、前記所定の撥水性よりも弱い撥水性と前記所定の接着性よりも強い接着性を有する樹脂を樹脂主成分とする第二の撥水性導電層とを配置して構成する、燃料電池用膜電極接合体の製造方法。
【請求項６】
前記第一の撥水性導電層の樹脂主成分は、テトラフルオロエチレン成分またはテトラフルオロエチレンの同族体の共重合体成分であり、
前記第二の撥水性導電層の樹脂主成分は、ポリフッ化ビニリデン成分である、請求項５に記載の燃料電池用膜電極接合体の製造方法。
【請求項７】
前記ガス拡散層に配置されている前記第二の撥水性導電層は、前記第一の撥水性導電層上に塗布により形成されている、請求項５または６に記載の燃料電池用膜電極接合体の製造方法。
【請求項８】
両面に触媒層を形成させた高分子電解質膜の両側から、撥水性導電層を表面に形成させた２つのガス拡散層を、それぞれ、前記触媒層と前記撥水性導電層が向き合うように熱圧着法により接合する、燃料電池用膜電極接合体の製造方法において、
前記撥水性導電層を表面に形成させた２つの前記ガス拡散層の少なくとも一方の前記撥水性導電層は、ポリフッ化ビニリデン成分とポリテトラフルオロエチレン成分を樹脂主成分とする、燃料電池用膜電極接合体の製造方法。
【手続補正２】
【補正対象書類名】明細書
【補正対象項目名】００２５
【補正方法】変更
【補正の内容】
【００２５】
上述した課題を解決するために、第１の本発明は、
高分子電解質膜と、
前記高分子電解質膜の両側のそれぞれに配置された２つの電極とを備え、
前記２つの電極の少なくとも一方の電極は、前記高分子電解質膜側から順に配置された、触媒層と、所定の撥水性と所定の接着性を有する樹脂を樹脂主成分とする第二の撥水性導電層と、前記所定の撥水性よりも強い撥水性と前記所定の接着性よりも弱い接着性を有する樹脂を樹脂主成分とする第一の撥水性導電層と、ガス拡散層で構成されており、
前記第一の撥水性導電層の樹脂主成分は、テトラフルオロエチレン成分またはテトラフルオロエチレンの同族体の共重合体成分であり、
前記第二の撥水性導電層の樹脂主成分は、ポリフッ化ビニリデン成分である、燃料電池用膜電極接合体である。
また、第２の本発明は、
前記それぞれの電極のうちのカソード側の電極は、
前記高分子電解質膜側から順に配置された、前記触媒層と、前記第二の撥水性導電層と、前記第一の撥水性導電層と、前記ガス拡散層で構成されている、第１の本発明の燃料電池用膜電極接合体である。
また、第３の本発明は、
高分子電解質膜と、
前記高分子電解質膜の両側のそれぞれに配置された２つの電極とを備え、
前記２つの電極の少なくとも一方の電極は、前記高分子電解質膜側から順に配置された、触媒層と、ポリフッ化ビニリデン成分とポリテトラフルオロエチレン成分を樹脂主成分とする撥水性導電層と、ガス拡散層で構成されている、燃料電池用膜電極接合体である。
また、第４の本発明は、
前記２つの電極のうちのカソード側の電極は、
前記高分子電解質膜側から順に配置された、前記触媒層と、前記撥水性導電層と、前記ガス拡散層で構成されている、第３の本発明の燃料電池用膜電極接合体である。
また、第５の本発明は、
両面に触媒層を形成させた高分子電解質膜の両側から、撥水性導電層を表面に形成させた２つのガス拡散層を、それぞれ、前記触媒層と前記撥水性導電層が向き合うように熱圧着法により接合する、燃料電池用膜電極接合体の製造方法において、
前記撥水性導電層を表面に形成させた２つの前記ガス拡散層の少なくとも一方の前記撥水性導電層は、前記ガス拡散層側から順に、所定の撥水性と所定の接着性を有する樹脂を樹脂主成分とする第一の撥水性導電層と、前記所定の撥水性よりも弱い撥水性と前記所定の接着性よりも強い接着性を有する樹脂を樹脂主成分とする第二の撥水性導電層とを配置して構成する、燃料電池用膜電極接合体の製造方法である。
また、第６の本発明は、
前記第一の撥水性導電層の樹脂主成分は、テトラフルオロエチレン成分またはテトラフルオロエチレンの同族体の共重合体成分であり、
前記第二の撥水性導電層の樹脂主成分は、ポリフッ化ビニリデン成分である、第５の本発明の燃料電池用膜電極接合体の製造方法である。
また、第７の本発明は、
前記ガス拡散層に配置されている前記第二の撥水性導電層は、前記第一の撥水性導電層上に塗布により形成されている、第５または６の本発明の燃料電池用膜電極接合体の製造方法である。
また、第８の本発明は、
両面に触媒層を形成させた高分子電解質膜の両側から、撥水性導電層を表面に形成させた２つのガス拡散層を、それぞれ、前記触媒層と前記撥水性導電層が向き合うように熱圧着法により接合する、燃料電池用膜電極接合体の製造方法において、
前記撥水性導電層を表面に形成させた２つの前記ガス拡散層の少なくとも一方の前記撥水性導電層は、ポリフッ化ビニリデン成分とポリテトラフルオロエチレン成分を樹脂主成分とする、燃料電池用膜電極接合体の製造方法である。
【手続補正３】
【補正対象書類名】明細書
【補正対象項目名】００２６
【補正方法】削除
【補正の内容】
【手続補正４】
【補正対象書類名】明細書
【補正対象項目名】００２７
【補正方法】削除
【補正の内容】
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】
【手続補正９】
【補正対象書類名】明細書
【補正対象項目名】００３２
【補正方法】削除
【補正の内容】
【手続補正１０】
【補正対象書類名】明細書
【補正対象項目名】００３３
【補正方法】削除
【補正の内容】